(57)【特許請求の範囲】
【請求項１】
板状のＬＣＤと、
前記ＬＣＤの上面に配置される文字板と、
前記文字板の下面に装着されて前記ＬＣＤの収容部位の一部を構成する拡散板と、
前記ＬＣＤ、前記文字板及び前記拡散板が取り付けられるケースと、を有し、前記ケースに取り付けられた前記ＬＣＤを覆うように前記文字板が前記ケースの上面に重着される表示装置であって、
前記ＬＣＤの収容部位における該ＬＣＤの外周部に隣接する位置に所定間隔離れて並設された、上端部が該ＬＣＤ取付の最大限度となる高さである複数の凸状部、を有し、
前記凸状部は、前記拡散板に一体形成されている、
ことを特徴とする表示装置。
【請求項２】
請求項１記載の表示装置において、
前記凸状部は、前記ＬＣＤのピン端子が設けられている側面に対向する側に設けられていることを特徴とする表示装置。
【発明の詳細な説明】
【技術分野】
【０００１】
本発明は、ＬＣＤ（Liquid Crystal Display）を有する表示装置に関し、特に、ＬＣＤの上面の一部に文字板が接するように取り付けられる表示装置に関する。
【背景技術】
【０００２】
近年、車両等に搭載されるコンビネーションメータ等の表示装置には、累積走行距離やその他の走行情報を表示するＬＣＤが含まれている。通常、このＬＣＤの上面の一部（表示部以外の部位）には数字や目盛り等の意匠が形成された文字板が接するように取り付けられる。図７は、この種の従来の表示装置の要部を示す分解斜視図である。図８（Ａ）及び図８（Ｂ）はそれぞれ、ＬＣＤが正常に装着された状態及び浮き上がり気味に装着された状態を示す断面図である。
【０００３】
図７に示すように、表示装置９は、ケース９１に装着されたＬＣＤ９２及び拡散板９３を覆うようにして、文字板（不図示）がケース９１の上面Ａに重着されて構成される。ケース９１は、ＬＣＤ９２及び拡散板９３に対応して略矩形に掘り下げられたような形状のＬＣＤ収容部９１２を有している。ＬＣＤ収容部９１２の最深部である底面には、ＬＣＤ９２のバックライト用の複数の光源９４１や端子受部９４２が基板９４に搭載されて配設されている。
【０００４】
ＬＣＤ９２は、矩形の板状をしており、例えば、累積走行距離やその他の走行情報をディジタル的又はグラフィック的に外部に表示出力する。ＬＣＤ９２の長側面のうちのひとつからは、電源端子や各種制御端子からなる複数のピン端子９２１が下方に向けて導出されている。拡散板９３は、バックライトとしての光源９４１からの光を拡散してＬＣＤ９２の裏面に均等に与えるためのものである。なお、拡散板９３はなくてもよい。
【０００５】
表示装置９の組立時には、まず、ケース９１のＬＣＤ収容部９１２に拡散板９３が装着される。次に、ＬＣＤ９２のピン端子９２１を端子受部９４２に位置合わせした後、ＬＣＤ９２をケース９１側に押し付けるようにして、ピン端子９２１を端子受部９４２に挿入していく。そして、ＬＣＤ９２の装着が終わると、その上から文字板が重着される。
【０００６】
なお、上述のようなＬＣＤを有する表示装置の一例としては次のものがある。
【特許文献１】特開平１１−１４３９７号公報
【発明の開示】
【発明が解決しようとする課題】
【０００７】
ところで、上記組立工程において、ＬＣＤ９２が正常に装着されていれば、図８（Ａ）に示すように、ＬＣＤ９２の上面ａはケース９１の上面Ａと同等か或いは上面Ａよりも低くなるはずである。そうすると、文字板９５は浮き上がることなくケース９１に重着されて、正常に組立が完了する。なお、９５１はＬＣＤ９２の表示部に対応するように設けられた開口窓である。
【０００８】
これに対して、例えば、図７の９２′で示すように、ＬＣＤ９２が傾いて装着され、ＬＣＤ９２の上面ａの一部がケースの上面Ａよりも浮き上がり気味に装着されていれば、図８（Ｂ）に示すように、ＬＣＤ９２の上面ａの一部はケース９１の上面Ａよりも高くなる。そうすると、文字板９５の一部が浮き上がったままでケース９１に取り付けられることになる。
【０００９】
しかしながら、従来の表示装置においては、図７の９２′で示すように、ＬＣＤ９２が傾いて装着されて、図８（Ｂ）に示すような状態が発生していることは、容易には確認できなかった。すなわち、図７の９２′で示すような傾いたＬＣＤ９２の上面ａと、ケース９１の上面Ａとは、直線と直線の関係であるので、図７中矢印方向からみると容易に傾きを確認することができなかった。このため、文字板９５が浮き上がったままでケース９１に取り付けられることがあった。したがって、非常に見栄えの悪い表示装置ができあがってしまう場合があった。
【００１０】
よって本発明は、上述した現状に鑑み、ＬＣＤが浮き上がって装着されていることを容易に確認でき、文字板のケースの上面からの浮き上がりを未然に防止することができる表示装置を提供することを課題としている。
【課題を解決するための手段】
【００１１】
上記課題を解決するためになされた請求項１記載の表示装置は、板状のＬＣＤと、前記ＬＣＤの上面に配置される文字板と、前記文字板の下面に装着されて前記ＬＣＤの収容部位の一部を構成する拡散板と、前記ＬＣＤ、前記文字板及び前記拡散板が取り付けられるケースと、を有し、前記ケースに取り付けられた前記ＬＣＤを覆うように前記文字板が前記ケースの上面に重着される表示装置であって、前記ＬＣＤの収容部位における該ＬＣＤの外周部に隣接する位置に所定間隔離れて並設された、上端部が該ＬＣＤ取付の最大限度となる高さである複数の凸状部、を有し、前記凸状部は、前記拡散板に一体形成されている、ことを特徴とする。
【００１２】
請求項１記載の発明によれば、上端部がＬＣＤ取付の最大限度となる高さである複数の凸状部によって、ＬＣＤが傾いて装着されてＬＣＤの一部が浮き上がっていないかどうかを容易に確認することができる。よって、文字板の浮き上がりを未然に防止することができる。
【００１４】
また、凸状部は拡散板に一体形成されているので、ケース自体は従来の構造をそのまま流用できる。
【００１５】
上記課題を解決するためになされた請求項２記載の表示装置は、請求項１記載の表示装置において、前記凸状部は、前記ＬＣＤのピン端子が設けられている側面に対向する側に設けられている、ことを特徴とする。
【００１６】
請求項２記載の発明によれば、凸状部はＬＣＤのピン端子が設けられている側面に対向する側に設けられているので、ＬＣＤの取り付け時に最も起こりやすい方向の傾きを容易に確認できる。
【発明の効果】
【００１７】
請求項１記載の発明によれば、上端部がＬＣＤ取付の最大限度となる高さである複数の凸状部によって、ＬＣＤが傾いて装着されてＬＣＤの一部が浮き上がっていないかどうかを容易に確認することができる。よって、文字板の浮き上がりを未然に防止することができる。したがって、組立誤差の少ない見栄えのよい表示装置を提供できる。
【００１８】
また、凸状部は拡散板に一体形成されているので、ケース自体は従来の構造をそのまま流用できる。したがって、コストアップを抑制することができる。
【００１９】
請求項２記載の発明によれば、凸状部はＬＣＤのピン端子が設けられている側面に対向する側に設けられているので、ＬＣＤの取り付け時に最も起こりやすい方向の傾きを容易に確認できる。したがって、組立誤差の少ない見栄えのよい表示装置を提供できる。
【発明を実施するための最良の形態】
【００２０】
以下、本発明の実施の形態を図面に基づいて説明する。図１は、本発明の一実施形態に係る表示装置の要部を示す分解斜視図である。図２は、図１に示す表示装置において、拡散板をケースに装着した状態を示す斜視図である。図３は、本発明の一実施形態に係る表示装置の要部を示す断面図である。図４は、図３における装着確認用リブの近傍を示す断面図である。
【００２１】
図１及び図２に示すように、実施形態の表示装置１は、ケース１１に装着されたＬＣＤ１２及び拡散板１３を覆うようにして、文字板（不図示）がケース１１の上面Ａに重着されて構成される。表示装置１は、例えば、車両のフロント部に搭載されるコンビネーションメータである。この種のメータには、速度計や燃料計等のアナログ型ゲージに、累積走行距離やその他の走行情報を表示するＬＣＤが組み合わせられて構成されている。図１及び図２は、このようなＬＣＤの周辺を示すものである。
【００２２】
ケース１１は、例えば、樹脂製であり、図１及び図４に示すように、ＬＣＤ１２及び拡散板１３に対応して略矩形に掘り下げられたような形状のＬＣＤ収容部１１２を有している。その開口窓は、ＬＣＤ１２と同等形状をしている。詳しくは、ＬＣＤ収容部１１２は多段構造になっており、最深部である底面には、ＬＣＤ１２のバックライト用の複数の光源１４１が、基板１４に搭載されて配設されている。光源１４１は、例えば、発光ダイオードである。ＬＣＤ収容部１１２は徐々に開口していくような斜面を有しており、斜面の最高部が拡散板１３の受面構造になっている。受面の一部は、拡散板１３の折曲部１３３に対応した階段状の角部１１３が形成されている。
【００２３】
ＬＣＤ１２は、矩形の板状をしており、例えば、累積走行距離やその他の走行情報をディジタル的又はグラフィック的に外部に表示出力する周知のデバイスである。図１〜図３に示すように、ＬＣＤ１２の長側面のうちのひとつからは、電源端子や各種制御端子からなる複数のピン端子１２１が下方に向けて導出されている。
【００２４】
拡散板１３は、例えば、白濁色の樹脂製板部材であり、バックライトとしての光源１４１からの光を拡散してＬＣＤ１２の裏面に均等に与えるためのものである。図１〜図３に示すように、拡散板１３は、ＬＣＤ１２の平面形状と略同等の平面部１３４と、この平面部１３４から階段状に折れ曲がった折曲部１３３と、から基本構成される。詳しくは、平面部１３４の一部は、１３２で示すように波形状になっている。但し、このような波形状は、本発明の主旨に直接関係ないので詳しい説明は省略する。
【００２５】
折曲部１３３の高さＤ（正確には、波状部１３２の頂点からの高さ）は、図４に示すように、ＬＣＤ１２の厚さと略同等になっている。また、折曲部１３３の上面には、複数の装着確認用リブ１３１（請求項の凸状部に対応）が設けられている。ここで、装着確認用リブ１３１の上端１３１ａが、ケース１１の上面Ａと同等の高さになるように、装着確認用リブ１３１の高さが設定されている。これは、ケース１１に装着されたＬＣＤ１２の上面ａがケース１１の上面Ａよりも浮き上がっていないか確認するための限度寸法である。
【００２６】
装着確認用リブ１３１は、図１〜図４に示すように、ケース１１に装着されたＬＣＤ１２の外周部に隣接する位置に設けられている。こうすることにより、ＬＣＤ１２の浮き上がりの確認をより簡単に確実に行うことができる。装着確認用リブ１３１は、少なくとも１個設ければよいが、複数個設けることにより、ＬＣＤ１２がフラットに装着されているかどうかも確認できるようになる。装着確認用リブ１３１の形状は、図１及び図２においては直方体形状をしているが、三角形状等であってもよい。
【００２７】
図３に示すように、基板１４には、上述の光源１４１やピン端子１２１が接続される端子受部１４２、その他の各種電子部品等が配設されている。基板１４の裏側には、図示しない裏カバーが覆設される。ＬＣＤ１２が装着された後には、安定性を確保するために、ケース１１にスペーサ１１１が挿入されている。
【００２８】
なお、図示しないが、ＬＣＤ１２の上面には文字板が配置される。文字板は、例えば、ポリカーボネイト製のシートであり、文字や目盛り等の意匠が形成されている。文字板におけるＬＣＤ１２の表示面に対応する部分には、開口窓が設けられている。
【００２９】
次に、図５を加えて、表示装置１の組立方法及びこれにともなう装着確認用リブ１３１の効果について説明する。図５（Ａ）及び図５（Ｂ）はそれぞれ、ＬＣＤが正常に装着された状態及び浮き上がり気味に装着された状態を示す断面図である。なお、図５（Ａ）及び図５（Ｂ）において、図１〜図４と共通する部分には、同一の符号を付し、重複する説明は省略する。
【００３０】
表示装置１の組立時には、まず、図１において、ケース１１のＬＣＤ収容部１１２に拡散板１３が装着される。このとき、ＬＣＤ収容部１１２の角部１１３に、拡散板１３の折曲部１３３が一致するように位置合わせされつつ、拡散板１３が装着される。そうすると、図２に示すような状態になる。次に、図２において、ＬＣＤ１２のピン端子１２１を端子受部１４２に位置合わせした後、ＬＣＤ１２をケース１１側に押し付けるようにして、ピン端子１２１を端子受部１４２に挿入する。そうすると、図３に示すような状態になり、更にケース１１にスペーサ１１１が挿入される。そして、その上から文字板が重着される。
【００３１】
このとき、ＬＣＤ１２が正常に装着されていれば、図５（Ａ）に示すように、ＬＣＤ１２の上面ａはケース１１の上面Ａよりも低くなるはずである。装着確認用リブ１３１の上端はケース１１の上面Ａと略同等の高さになるように設定されているので、このときには、複数の装着確認用リブ１３１が全て、ＬＣＤ１２の上面ａから突出していることが目視できる。これによって、作業者は、ＬＣＤ１２が正常に装着されたことを確認できる。装着確認用リブ１３１が突出していることを確認するために、リブ１３１の付近を手で触れてみてもよい。このようにして、ＬＣＤ１２が正常に装着されたことが確認されると、その上から文字板が浮き上がることなくケース１１に重着されて、正常に組立が完了する。
【００３２】
これに対して、例えば、図２の１２′で示すように、ＬＣＤ１２が傾いて装着され、ＬＣＤ１２の上面ａの一部がケース１１の上面Ａよりも浮き上がり気味に装着されていれば、図５（Ｂ）に示すように、ＬＣＤ１２の上面ａの一部はケース１１の上面Ａよりも高くなる。そうすると、図２中矢印方向からみると、複数の装着確認用リブ１３１のうちのひとつはＬＣＤ１２の上面ａから突出して見えるが、他のひとつはＬＣＤ１２の上面ａから突出せず、或いは、ほんのわずかしか突出しない。これによって、作業者は、ＬＣＤ１２が傾いて装着され、ＬＣＤ１２の上面ａの一部がケース１１の上面Ａよりも浮き上がり気味に装着されていることを、容易に確認することができる。このようにして、ＬＣＤ１２が正常に装着されていないことが確認されると、図５（Ａ）のような状態にすべくＬＣＤ１２の傾きが修正される。
【００３３】
以上説明したように、本発明の実施形態によれば、組立時における文字板のケース１１の上面からの浮き上がりを未然に防止することができる。したがって、組立誤差の少ない見栄えのよい表示装置を提供できる。
【００３４】
なお、上記実施形態のように、装着確認用リブ１３１を拡散板１３に一体形成することによって、ケース自体は従来の構造をそのまま流用できる。したがって、コストアップを抑制することができる。但し、装着確認用リブ１３１は、拡散板１３以外の場所、例えば、ケース１１側に設けてもよい。
【００３５】
また、上記実施形態では、装着確認用リブの高さはケース上面と同等としたが、例えば、図６（Ａ）のＤに示すように、ケース上面側に文字板高さ規制部位１１′（リブやボス等）が形成されている場合には、その高さ以下のＬＣＤ取付の最大限度となる高さの装着確認用リブ１３１を設ければよいし、例えば、図６（Ｂ）の−Ｄに示すように、絞り開口部１５１′を有する文字板１５が用いられる場合には、ケース上面以下のＬＣＤ取付の最大限度となる高さの装着確認用リブ１３１を設ければよい。
【図面の簡単な説明】
【００３６】
【図１】本発明の一実施形態に係る表示装置の要部を示す分解斜視図である。
【図２】図１に示す表示装置において、拡散板をケースに装着した状態を示す斜視図である。
【図３】本発明の一実施形態に係る表示装置の要部を示す断面図である。
【図４】図３における装着確認用リブの近傍を示す断面図である。
【図５】図５（Ａ）及び図５（Ｂ）はそれぞれ、ＬＣＤが正常に装着された状態及び浮き上がり気味に装着された状態を示す断面図である。
【図６】図６（Ａ）及び図６（Ｂ）はそれぞれ、装着確認用リブの変形例を示す断面図である。
【図７】この種の従来の表示装置の要部を示す分解斜視図である。
【図８】図８（Ａ）及び図８（Ｂ）はそれぞれ、ＬＣＤが正常に装着された状態及び浮き上がり気味に装着された状態を示す断面図である。
【符号の説明】
【００３７】
１  表示装置
１１  ケース
１２  ＬＣＤ
１３  拡散板
１４  基板
１３１  装着確認用リブ（凸状部）
【図１】
0004746970.tif 000002
【図２】
0004746970.tif 000003
【図３】
0004746970.tif 000004
【図４】
0004746970.tif 000005
【図５】
0004746970.tif 000006
【図６】
0004746970.tif 000007
【図７】
0004746970.tif 000008
【図８】
0004746970.tif 000009